(57)【要約】【課題】保護フィルムや各種のカッティングフィルム，壁紙，防水用シート，透湿防水紙等のロール状に巻回された素材を繰り出して所定サイズにカットすることができるロール状素材カッター装置を提供することを目的とする。【解決手段】ロール状素材の収納箱２５を載置して固定する断面Ｌ形の台板１の背面側に取り付けられた断面逆Ｌ形の支持板４の左右両側部に中空円筒状の軸受けコマ６を前後方向回動自在に取り付け、該軸受けコマ６に上下動自在、かつ、固定可能に反転ローラアーム軸７を取り付け、該反転ローラアーム軸７の頂部に反転ローラ９を回動自在に挿通し、前記支持板４の上部板４ａに積算カウンタ支持アーム１３を前後動自在、かつ、固定可能に取り付けるとともに、該積算カウンタ支持アーム１３に、回転ローラ２２ａが取り付けられた積算カウンタ２２を回動自在に配備したロール状素材カッター装置を基本構成としている。【選択図】図１
2007125652.tif 000002
【特許請求の範囲】
【請求項１】
ロール状素材の収納箱を載置して固定する断面Ｌ形の台板の背面側に取り付けられた断面逆Ｌ形の支持板の左右両側部に中空円筒状の軸受けコマを前後方向回動自在に取り付け、該軸受けコマに上下動自在、かつ、固定可能に反転ローラアーム軸を取り付け、該反転ローラアーム軸の頂部に反転ローラを回動自在に挿通し、前記支持板の上部板に積算カウンタ支持アームを前後動自在、かつ、固定可能に取り付けるとともに、該積算カウンタ支持アームに、回転ローラが取り付けられた積算カウンタを回動自在に配備したことを特徴とするロール状素材カッター装置。
【請求項２】
ロール状素材の収納箱を載置する断面Ｌ形の台板の背面側に取り付けられた断面逆Ｌ形の支持板の左右両側部に中空円筒状の軸受けコマを前後方向回動自在に取り付け、該軸受けコマに上下動自在、かつ、固定可能に反転ローラアーム軸を取り付け、該反転ローラアーム軸の頂部に反転ローラを回動自在に挿通し、前記支持板の上部板に積算カウンタ支持アームを前後動自在、かつ、固定可能に取り付けるとともに、該積算カウンタ支持アームの一方側端部にカッターホルダー及びカッターを回動自在に支持し、前記積算カウンタ支持アームに、回転ローラが取り付けられた積算カウンタを回動自在に配備したことを特徴とするロール状素材カッター装置。
【請求項３】
ロール状素材の収納箱を載置して固定する断面Ｌ形の台板と、該台板の背面側に上下動自在、かつ、固定可能に取り付けられた断面逆Ｌ形の支持板と、該支持板の側部に取り付けられた中空円筒状の軸受けコマと、該軸受けコマに上下動自在、かつ、固定可能に取り付けられた反転ローラアーム軸と、該反転ローラアーム軸の頂部に回動自在に挿通された反転ローラと、前記支持板の上部板に前後動自在、かつ、固定可能に取り付けられた積算カウンタ支持アームと、該積算カウンタ支持アームに回動自在に取り付けられた積算カウンタ、該積算カウンタに取り付けられた回転ローラとからなり、ロール状素材の繰り出し時に積算カウンタの回転ローラがロール状素材に接する反転ローラに接して回転することにより、ロール状素材と同一方向に回転することを特徴とするロール状素材カッター装置。
【請求項４】
ロール状素材の収納箱を載置して固定する断面Ｌ形の台板と、該台板の背面側に上下動自在、かつ、固定可能に取り付けられた断面逆Ｌ形の支持板と、該支持板の側部に取り付けられた中空円筒状の軸受けコマと、該軸受けコマに上下動自在、かつ、固定可能に取り付けられた反転ローラアーム軸と、該反転ローラアーム軸の頂部に回動自在に挿通された反転ローラと、前記支持板の上部板に前後動自在、かつ、固定可能に取り付けられた積算カウンタ支持アームと、該積算カウンタ支持アームの一方側端部に回動自在に支持されたカッターホルダー及び該カッターホルダーに固定されたカッターと、前記積算カウンタ支持アームに回動自在に取り付けられた積算カウンタと、該積算カウンタに取り付けられた回転ローラとからなり、ロール状素材の繰り出し時に積算カウンタの回転ローラがロール状素材に接する反転ローラに接して回転することにより、ロール状素材と同一方向に回転するとともに、繰り出されるロール状素材を所定の幅寸法にカッターによって切断することを特徴とするロール状素材カッター装置。
【請求項５】
積算カウンタ支持アームは、支持板の上部板に水平前後方向に取り付けられたシャフトの一端部に橋絡支持された請求項１，２，３又は４記載のロール状素材カッター装置。
【請求項６】
積算カウンタ支持アームは、支持板の上部板に水平前後方向に取り付けられた中空円筒状の軸受けコマに挿通されたシャフトの一端部に、前後に移動自在、かつ、固定可能に橋絡支持された請求項１，２，３又は４記載のロール状素材カッター装置。
【請求項７】
台板に対して前後動自在で、かつ、固定可能に配備された規制板を装備した請求項１，２，３，４，５又は６記載のロール状素材カッター装置。
【請求項８】
支持板の上部板に、積算カウンタの前後の回動移動を可能にする切欠部を形成した請求項１，２，３，４，５，６又は７記載のロール状素材カッター装置。
【発明の詳細な説明】
【技術分野】
【０００１】
本発明はロール状素材カッター装置に関し、特には剥離紙に貼着されてロール状に巻回されたガラス面等の保護フィルムや各種のカッティングフィルム，壁紙，防水用シート，透湿防水紙，カーテン生地等のロール状に巻回された素材を繰り出して、所定サイズにカットするとともにその繰り出し長さを測定表示することができるロール状素材カッター装置に関するものである。
【背景技術】
【０００２】
従来からロール状に巻回された素材を使用する各種施工時や店舗等で販売する際に、メーカにより梱包された収納箱から保持芯に巻回されたロール状素材を取り出し、カッティングマシンの心棒を保持芯に通してカッティングマシンにセットした後、素材を保持芯の下方から手前方向に繰り出し、ドライブロールの上を通してから各フィルム受け棒の間を通して繰り出し、適宜必要な寸法を測定してカットする手段が一般に採用されている。積算カウンタがある場合には、ロール状素材がドライブロールの上で動く際に該積算カウンタのローラが素材に接触回転して、必要とする寸法を測定するようになっている。
【０００３】
また、従来の保持ロールに巻回されたロール状素材を必要とする大きさに合わせてカットする場合には、素材を保持ロールから繰り出して適宜長さにカットした後、切離した素材を台盤等の上に載置して定規を当ててカットする手段も用いられている。更にゴムマット等を敷いてから該ゴムマット上に素材を載置し、カッターを使用して素材をカットする手段も多用されている。
【０００４】
特許文献１には、ロール状素材としてのフィルムのカット部分全体を均等な力で押圧することにより、フィルムの浮き上がりを阻止して、正確にフィルムをカットすることを目的として、フィルムを載置するフィルム載置台と、該フィルム載置台に上下動、且つ固定可能に設けられたフィルム押え部材と、該フィルム押え部材の上方部に取付けられた、前記フィルム押え部材の水平度を調整する水平度調整手段と、該フィルム押え部材によりフィルム載置台上に圧着固定されたフィルムを、刃先がフィルム載置台下面の台板に当接することなく所定の長さにカットするカッター部材とを備えたフィルムカッター装置が記載されている。
【特許文献１】特開２００４−２８３９７８号公報
【発明の開示】
【発明が解決しようとする課題】
【０００５】
しかしながら、前記従来のカッティングマシンによる手段は、ロール状素材をカットするという本来の目的を達成するための操作が煩瑣で多くの手間を要し、素材をカットする際の時間的な無駄が大きいという課題がある。また、ドライブロールとかフィルム受け棒等の部品も多く、これらの部品と素材間に一定の距離が必要であるため、広い作業場所を確保しなければならない。
【０００６】
また、種類の異なる素材をカットするには、現在セットされている素材を保持芯に巻き戻して心棒から取り外し、ロール状素材の収納箱から保持芯に巻回された新たな素材を取り出して、再度上記の手順を踏んで心棒を保持芯に通してカッティングマシンにセットし、保持芯の下方から素材を手前方向に繰り出して各フィルム受け棒の間を通して繰り出すという煩瑣な作業を行う必要がある。更にゴムマット等を敷いて素材を載置し、カッターを使用して素材をカットする手段では、頻度多く使用するとマットが損傷してしまい、短期間でカットできなくなるという問題があり、かつ、マットの上ではカッターの刃先の損傷が激しくなり、切れ味が早期に悪くなるという難点がある。
【０００７】
そこで本発明は上記従来の問題点に鑑みて、簡易な構成で部品点数も比較的少なく、かつ、使用時にも煩瑣な作業を不要として長期間に亘って容易にロール状素材を安定してカットすることができるカッター装置を提供することを目的とするものである。
【課題を解決するための手段】
【０００８】
本発明は上記目的を達成するために、ロール状素材の収納箱を載置する断面Ｌ形の台板の背面側に取り付けられた断面逆Ｌ形の支持板の左右両側部に中空円筒状の軸受けコマを前後方向回動自在に取り付け、該軸受けコマに上下動自在、かつ、固定可能に反転ローラアーム軸を取り付け、該反転ローラアーム軸の頂部に反転ローラを回動自在に挿通し、前記支持板の上部板に積算カウンタ支持アームを前後動自在、かつ、固定可能に取り付けるとともに、該積算カウンタ支持アームの一方側端部にカッターホルダー及びカッターを回動自在に支持し、前記積算カウンタ支持アームに、回転ローラが取り付けられた積算カウンタを回動自在に配備したロール状素材カッター装置を提供する。
【０００９】
また、ロール状素材の収納箱を載置して固定する断面Ｌ形の台板と、該台板の背面側に上下動自在、かつ、固定可能に取り付けられた断面逆Ｌ形の支持板と、該支持板の側部に取り付けられた中空円筒状の軸受けコマと、該軸受けコマに上下動自在、かつ、固定可能に取り付けられた反転ローラアーム軸と、該反転ローラアーム軸の頂部に回動自在に挿通された反転ローラと、前記支持板の上部板に前後動自在、かつ、固定可能に取り付けられた積算カウンタ支持アームと、該積算カウンタ支持アームの一方側端部に回動自在に支持されたカッターホルダー及び該カッターホルダーに固定されたカッターと、前記積算カウンタ支持アームに回動自在に取り付けられた積算カウンタと、該積算カウンタに取り付けられた回転ローラとからなり、ロール状素材の繰り出し時に積算カウンタの回転ローラがロール状素材に接する反転ローラに接して回転することにより、ロール状素材と同一方向に回転するとともに、繰り出されるロール状素材をカッターによって所定の幅寸法に切断する構成を提供する。
【００１０】
更に、積算カウンタ支持アームは、支持板の上部板に水平前後方向に取り付けられたシャフトの一端部に橋絡支持された構成、積算カウンタ支持アームは、支持板の上部板に水平前後方向に取り付けられた中空円筒状の軸受けコマに挿通されたシャフトの一端部に、前後に移動自在、かつ、固定可能に橋絡支持された構成、台板に対して前後動自在で、かつ、固定可能に配備された規制板を装備した構成、及び支持板の上部板に、積算カウンタの前後の回動移動を可能にする切欠部を形成した構成を提供する。
【発明の効果】
【００１１】
本発明にかかるロール状素材カッター装置によれば、カットすべきロール状素材と積算カウンタ間に反転ローラを介在させた状態としてセットを行うことで、反転ローラの回転がロール状素材の回転とは逆方向になり、積算カウンタの回転ローラの回転がロール状素材の回転と同一方向の回転に規制されて所望の長さに正確に繰り出すことができるとともに、施工に便利なように施工場所の幅寸法に概ね合わせて、繰り出しと同時にカッターによりロール状素材を長さ方向にカットすることができる。収納箱内のロール状素材がなくなったり異種の素材に替える場合でも積算カウンタと反転ローラを支持板の背面側に回転移動し、収納箱を取り替えて再度反転ローラと積算カウンタを支持板の背面側から回転移動させるだけで容易に作業を継続することが可能であり、操作は極めて簡単に行うことができる。また、ゴムマット等を使用する必要はなくなり、該マットの損傷とかカッターの刃先の損傷によるカッターの切れ味が早期に悪くなる惧れは生じない。
【００１２】
従って本発明によれば、カッター装置自体が比較的簡易な構成でなるとともに部品点数も少なくて使用時に広い作業場所を必要とせず、しかも煩瑣な作業を不要にするとともに収納箱からロール状素材を取り出すこともなく、長期間に亘って容易にロール状素材を安定的にカットすることができるカッター装置を提供することができる。
【発明を実施するための最良の形態】
【００１３】
以下図面に基づいて本発明にかかるロール状素材カッター装置の最良の実施形態を説明する。尚、ロール状素材の一例として、剥離紙に貼着された状態でロール状に巻回されて提供され、ガラスの飛散防止とか遮光のためにガラス面に貼着するロール状保護フィルムを用いて説明する。図１は本発明にかかるロール状素材カッター装置の要部斜視図、図２は同装置の一部省略斜視図（積算カウンタ及びカッターを除いたもの）、図３は図２の側面図、図４は同平面図であり、図中の１はロール状保護フィルムの入った収納箱２５（図８，図９参照）を載置する断面Ｌ形の台板である。２は断面Ｌ型の規制板であり、台板１の底面に適宜の間隔で複数の小孔１ａにローレットネジ３により台板１に対して矢印Ａ方向に位置調節可能に固定されている。台板１は後述するロール状素材の収納箱２５を載置した際に該収納箱２５に前後左右の揺れが生じない面積と厚みを有しており、この台板１の起立片の背面側には断面逆Ｌ形の支持板４が上下動自在、かつ、ローレットネジ５により固定可能に取り付けられている。
【００１４】
上記支持板４の左右両側部には、中空円筒状の軸受けコマ６，６が前後方向回動自在に左右一対取り付けられている。この軸受けコマ６，６に、ジョイント７ａによって連結されて平面視がコ字状の反転ローラアーム軸７が上下動自在、かつ、ローレットネジ８により固定可能に取り付けられている。該反転ローラアーム軸７の頂部にはジョイント７ａを挟んで左右一対の反転ローラ９，９が回動自在に挿通されている。更に支持板４の上部板４ａには、中空円筒状の軸受けコマ１０，１０が前後方向に水平に左右一対取り付けられており、この軸受けコマ１０，１０にシャフト１１，１１が前後動自在、かつ、ローレットネジ１２により固定可能に挿通されていて、該シャフト１１，１１の一端部に中空円筒状の積算カウンタ支持アーム１３が橋絡支持されている。
【００１５】
１４は中空円筒状の積算カウンタ支持アーム１３に、摺動自在、かつ、ローレットネジ１５によって固定可能に挿通されたシャフトであり、該シャフト１４の一方側端部には中空円筒状の軸受けコマ１６が前後方向に回動自在に支持されている。この軸受けコマ１６にはカッターホルダー１７が摺動自在、かつ、ローレットネジ１８により固定可能に取り付けられており、該カッターホルダー１７の頂部にカッター１９がローレットネジ２０で固定可能に取り付けられている。軸受けコマ１６が付設されたシャフト１４は、中空円筒状の積算カウンタ支持アーム１３の左右どちら側からでも差し込み可能となっている。なお、カッター１９は特に限定はなく、カッターホルダー１７に装着できるものであればどのようなものでもよく、市販されている周知の繰り出し式のカッターを使用することが適当である。
【００１６】
２２は、ブラケット２１を介して上記積算カウンタ支持アーム１３に回動自在に支持されたディジタル型の積算カウンタであって、この積算カウンタ２２の左右両端には、ロール状保護フィルム２４に接触して回転する反転ローラ９に接触して回転ローラ２２ａ，２２ａが取り付けられている。２２ｂは積算した数値を表示するカウンタ表示部である。また、積算カウンタ２２は、台板１の背面側に固定されている断面逆Ｌ形の支持板４の上部板４ａに形成されている切欠部４ｂを通過して前後方向に回動移動が可能である。図５は積算カウンタ２２を除くとともに、カッター１９を下方に回動させた状態を示す背面方向からの一部省略斜視図、図６は積算カウンタ２２を除いた使用状態を示す要部斜視図、図７は図６に積算カウンタ２２を組み込んだ使用状態を示す要部斜視図である。なお、図５，図６，図７ではシャフト１４を、中空円筒状の積算カウンタ支持アーム１３から手前に引き出した状態を図示している。
【００１７】
かかる構成によれば、ロール状素材としてのロール状保護フィルム２４を長さ方向に沿って施工場所に応じた所定幅に合わせて予め概ねカットする際には、図８，図９に示すようにロール状保護フィルム２４が収納された段ボール等でなる収納箱２５から該ロール状保護フィルム２４を取り出すことなく、収納箱２５の蓋のみを取り去り、収納箱２５の前方側（ロール状保護フィルム２４を引き出す方向）の上端部に反力を取るための断面逆Ｕ字形定規２６を被せておく。収納箱２５内のロール状保護フィルム２４は、予め保持芯に巻回された状態として収納されている。そして収納箱２５の前後方向の寸法に合わせて断面Ｌ形の規制板２の位置決めをし、ローレットネジ３を小孔１ａに螺合操作して、収納箱２５を台板１上に位置ずれがすることがないように安定載置して規制板２により不動状態に支持する。
【００１８】
台板１の起立片の背面側に取り付けられた断面逆Ｌ形の支持板４も同様にローレットネジ５の操作により上下に移動調節して適当な高さに固定する。次に反転ローラ９が収納箱２５内のロール状保護フィルム２４の中心上にくるように、ローレットネジ８の操作により反転ローラアーム軸７の高さ方向の位置を移動調節して軸受けコマ６，６に挿通された反転ローラアーム軸７を支持板４の背面からロール状保護フィルム２４上に回転移動させ、再度軸固定用のローレットネジ８を締め付けて固定する。次に積算カウンタ２２が反転ローラ９の中心上にくるように、ローレットネジ１２の操作により軸受けコマ１０に挿通されたシャフト１１を前後方向に摺動させて、積算カウンタ支持アーム１３を前後に移動調整し、反転ローラ９の上に積算カウンタ２２を回動移動させて、反転ローラ９に回転ローラ２２ａを接触させ、カットすべきロール状保護フィルム２４と積算カウンタ２２間に反転ローラ９を介在させた状態とする。
【００１９】
次にロール状保護フィルム２４を所定長さの繰り出し作業と同時に、長さ方向にカットする場合には、シャフト１４の一方側端部に支持されている軸受けコマ１６内にカッター１９を取り付けたカッターホルダー１７を挿入し、該シャフト１４を積算カウンタ支持アーム１３の中空内円部に差し込み、ローレットネジ１５を操作して、カッター１９がカットすべきロール状保護フィルム２４の幅寸法と合致するようにシャフト１４の位置調節して、ローレットネジ１５を締め付けて固定する。そして、軸受けコマ１６のローレットネジ１８を操作して、軸受けコマ１６に挿通されたカッターホルダー１７を回動調節してカッター１９の刃先が収納箱２５に設置した引き出されたロール状保護フィルム２４の先端部２４ａを介して断面逆Ｕ字形定規２６に圧接するように該カッターホルダー１７を調整し、再度ローレットネジ１８を締め付けてセットが完了する。
【００２０】
ロール状保護フィルム２４のカット作業は、先ず図８，図９に示すように収納箱２５内にロール状に巻回収納してあるロール状保護フィルム２４の先端部２４ａを収納箱２５から引き出すと、図１０に示すようにロール状保護フィルム２４の繰り出しによって駆動する反転ローラ９の回転方向（矢印Ｃ）は収納されたロール状保護フィルム２４の回転方向（矢印Ｂ）とは逆方向になり、更に反転ローラ９の回転によって駆動する積算カウンタ２２の回転ローラ２２ａの回転方向（矢印Ｄ）は、反転ローラ９とは逆方向であってロール状保護フィルム２４の回転方向（矢印Ｂ）と同一方向に回転する。よって、積算カウンタ２２の回転ローラ２２ａの回転方向が正確に規制される。回転ローラ２２ａの回転に伴って積算カウンタ２２はロール状保護フィルム２４の繰り出し長をミリメートル単位でカウンタ表示部２２ｂにディジタル表示するので、ロール状保護フィルム２４を所望の長さに引き出すことができる。更に、その繰り出し操作と同時にカッター１９の刃先をロール状保護フィルム２４を介在させて断面逆Ｕ字形定規２６に圧接しておくことにより、ロール状保護フィルム２４を施工する場所の幅寸法に応じて長さ方向にカットすることができる。そして、所定長さにロール状保護フィルム２４を繰り出した後は、別体のカッターにて幅方向にロール状保護フィルム２４をカットして作業を終了する。なお、本発明を利用したロール状保護フィルム２４の長さ方向のカットは概略であり、精確なサイズは貼着するガラス面等に合わせてカットすることが必要である。
【００２１】
カットすべきロール状保護フィルム２４と積算カウンタ２２間に反転ローラ９を介在させたことも本願発明の特徴の一つであり、仮に積算カウンタ２２を直接ロール状保護フィルム２４に当接させるとロール状保護フィルム２４の動きはフィルム保持芯の下方から引き出されるため、ロール状保護フィルム２４の上面が逆方向である背面方向に動くので、積算カウンタ２２の回転ローラ２２ａ，２２ａが逆転することになる。そこで反転ローラ９をロール状保護フィルム２４と積算カウンタ２２間に介在させることにより上記問題を解決することができる。
【００２２】
収納箱２５内にセットしてあるロール状保護フィルム２４がなくなったり、異種の素材に交換する場合には同じ寸法の収納箱２５であれば積算カウンタ２２と反転ローラ９を支持板４の背面側に回転移動し、収納箱２５を取り替えて再度反転ローラ９と積算カウンタ２２を支持板４の背面側から回転移動させるだけでよい。
【００２３】
なお、本発明は積算カウンタ２２を使用することなく、カッター１９によってロール状保護フィルム２４を施工すべき場所に応じた概ねの幅寸法に予めカットするためのロール状保護フィルム２４の繰り出し切断装置として使用してもよい。或いはカッター１９を使用することなく、積算カウンタ２２によってロール状保護フィルム２４を施工すべき場所の長さ寸法に応じて所定長さに繰り出すためのロール状保護フィルム２４の繰り出し長さ測定装置としてのみ使用することも可能である。
【産業上の利用可能性】
【００２４】
以上詳細に説明したように、本発明によれば、装置自体の構成が簡易であって部品点数も少なく、使用時にも煩瑣な作業を不要として長期間に亘って容易にロール状素材を安定的にカットすることができるので、店舗等で販売される各種のロール状素材、例えば剥離紙に貼着されてロール状に巻回されたガラス面等の保護フィルムや各種のカッティングフィルム，壁紙，防水用シート，透湿防水紙，カーテン生地等の商品を繰り出して所定サイズにカットし、その繰り出し長さを測定表示するカッター装置として利用することができる。則ち、本発明によれば、市販されているメーカーからの各種ロール状素材の収納ボックスから直接繰り出すことができ、かつ、繰り出しと同時に所定の幅寸法に長さ方向にカットができ、繰り出しと同時に積算カウンターを利用して長さを測定できる。
【図面の簡単な説明】
【００２５】
【図１】本発明にかかるロール状素材カッター装置の要部斜視図。
【図２】本発明にかかるロール状素材カッター装置の一部省略斜視図。
【図３】図２の側面図。
【図４】図３の平面図。
【図５】本発明にかかるロール状素材カッター装置の背面方向からの一部省略斜視図。
【図６】本発明にかかるロール状素材カッター装置の使用状態を示す要部斜視図。
【図７】本発明にかかるロール状素材カッター装置の使用状態を示す要部斜視図。
【図８】本発明にかかるロール状素材カッター装置の使用状態を示す要部斜視図。
【図９】本発明にかかるロール状素材カッター装置の使用状態を示す要部側面図。
【図１０】積算カウンタ２２の回転方向を示す説明図。
【符号の説明】
【００２６】
１…台板
２…規制板
３，５，８，１２，１５，１８，２０…ローレットネジ
４…支持板
４ａ…上部板
４ｂ…切欠部
６，１０，１６…軸受けコマ
７…反転ローラアーム軸
９…反転ローラ
１１…シャフト
１３…積算カウンタ支持アーム
１４…シャフト
１７…カッターホルダー
１９…カッター
２１…ブラケット
２２…積算カウンタ
２２ａ…回転ローラ
２２ｂ…カウンタ表示部
２４…ロール状保護フィルム
２５…収納箱
２６…断面逆Ｕ字形定規
【図１】
2007125652.tif 000003
【図２】
2007125652.tif 000004
【図３】
2007125652.tif 000005
【図４】
2007125652.tif 000006
【図５】
2007125652.tif 000007
【図６】
2007125652.tif 000008
【図７】
2007125652.tif 000009
【図８】
2007125652.tif 000010
【図９】
2007125652.tif 000011
【図１０】
2007125652.tif 000012